(57)【要約】【課題】主に各種電子機器の操作に用いられるリモコン送信機に関し、簡易な構成で、確実な操作が可能なものを提供することを目的とする。【解決手段】上ケース１上面から複数の操作キー２２Ａや２２Ｂ等が突出した操作体２２に、検知スイッチ１１を操作するロータ１０が弾接する、略桟状の付勢部２２Ｃを設けることによって、ロータ１０を回転させる付勢部２２Ｃが操作体２２に一体に形成され、ばね等の部品を用いる必要がないため、簡易な構成に形成できると共に、付勢部２２Ｃによってロータ１０を回転させることで、検知スイッチ１１の確実な操作が可能なリモコン送信機を得ることができる。【選択図】図１
2013098760.tif 000002
【特許請求の範囲】
【請求項１】
略箱型のケースと、このケース上面から複数の操作キーが突出した操作体と、この操作キーの上下動に応じて電気的接離を行うスイッチ接点と、上記ケース上面に摺動可能に装着された扉体と、この扉体の摺動に応じて回転するロータと、このロータの回転に応じて電気的接離を行う検知スイッチと、上記スイッチ接点の電気的接離に応じて、送信手段からリモコン信号を送信する制御手段からなり、上記操作体に上記ロータが弾接する、略桟状の付勢部を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行えるものが増えている。
【０００３】
このような従来のリモコン送信機について、図５〜図７を用いて説明する。
【０００４】
図５は従来のリモコン送信機の断面図、図６は同分解斜視図であり、同図において、１は略箱型で絶縁樹脂製の上ケース、２はゴム等の操作体で、操作体２上面には下方に略ドーム状の薄肉部が形成された複数の操作キー２Ａや２Ｂ等が設けられると共に、これらの操作キー２Ａや２Ｂ等が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４が設けられ、この固定接点４が複数の操作キー２Ａや２Ｂ等の下面に形成されたカーボン等の可動接点５と、所定の間隙を空けて対向して複数のスイッチ接点が形成されている。
【０００６】
また、６は絶縁樹脂製の扉体、７はゴム等の押圧体で、押圧体７上面には下方に略ドーム状の薄肉部が形成された複数の押圧キー７Ａや７Ｂ等が設けられると共に、この複数の押圧キー７Ａや７Ｂ等が、扉体６上面の複数の開口孔から上下動可能に突出している。
【０００７】
さらに、８は板状で絶縁樹脂製の保持板で、この保持板８が扉体６下面を覆い固着されて、押圧体７が扉体６内に収納されると共に、保持板８下面の複数の開口孔からは、複数の押圧キー７Ａや７Ｂ等の下端が突出している。
【０００８】
そして、扉体６が上ケース１上面に前後方向へ摺動可能に装着されると共に、この扉体６が閉じて、複数の操作キー２Ａや２Ｂ等を覆った状態では、複数の押圧キー７Ａや７Ｂ等の下端が所定の操作キーに、例えば押圧キー７Ａの右下端が操作キー２Ａ上面に、左下端が操作キー２Ｂ上面に各々当接している。
【０００９】
また、９は略箱型で絶縁樹脂製の下ケース、１０は絶縁樹脂製のロータで、下ケース９が上ケース１や配線基板３下面を覆うと共に、ロータ１０が上ケース１と下ケース９の間に回転可能に装着され、ロータ１０の右端が上ケース１側面の貫通孔から突出している。
【００１０】
さらに、１１は検知スイッチ、１２はコイル状のばねで、検知スイッチ１１が配線基板３下面に実装されると共に、検知スイッチ１１の操作軸１１Ａがロータ１０の左端に当接し、ロータ１０右端と上ケース１の間には、ばね１２がやや撓んだ状態で装着されている。
【００１１】
また、配線基板３の上下面には、発光ダイオード等のリモコン信号を送信する送信手段１３や、液晶表示素子等の表示手段１４、配線パターンを介して送信手段１３や表示手段１４、複数の固定接点４や検知スイッチ１１に接続されたマイコン等の制御手段１５が形成されて、リモコン送信機が構成されている。
【００１２】
なお、扉体６が閉じた状態で、この上面から突出した複数の押圧キー７Ａや７Ｂ等は操作する電子機器の、例えば機器がエアコンであった場合、電源の入／切や冷暖房の切換え等の、通常頻繁に使用される操作に用いられ、扉体６が開いた状態で、上ケース１上面から突出する複数の操作キー２Ａや２Ｂ等は、温度の増減や、風量や風向の切換え、タイマーの時刻設定等の、比較的使用頻度の少ないものに用いられる。
【００１３】
以上の構成において、扉体６が閉じた状態で、扉体６上面から突出した所定の押圧キー、例えば押圧キー７Ａの右端上面を押圧操作すると、略ドーム状の薄肉部が弾性変形して押圧キー７Ａの右端が下方へ揺動し、押圧キー７Ａの右下端がこの下方の操作キー２Ａ上面を押圧する。
【００１４】
そして、この操作キー２Ａが略ドーム状の薄肉部を弾性変形させて下方へ移動し、この下面の可動接点５が複数の固定接点４と接触して、スイッチ接点の電気的接離が行われ、この電気的接離に応じて制御手段１５が、送信手段１３から赤外線のリモコン信号を電子機器へ送信し、例えば、エアコンの冷暖房の切換え等が遠隔操作によって行われる。
【００１５】
なお、このように扉体６が閉じた状態では、図７（ａ）の平面図に示すように、扉体６内側面に右端を押圧されたロータ１０が、ばね１２を撓めながら反時計方向へ回転した状態となっているため、ロータ１０左端が検知スイッチ１１の操作軸１１Ａを押圧し、検知スイッチ１１が例えば接続された状態となっている。
【００１６】
また、扉体６を後方へ摺動し、扉体６が開いた状態では、図７（ｂ）に示すように、扉体６内側面がロータ１０右端から離れるため、ばね１２に付勢されてロータ１０が時計方向へ回転し、左端が操作軸１１Ａから離れて、検知スイッチ１１が例えば切断された状態となる。
【００１７】
そして、この扉体６が開いた状態で、上ケース１上面から突出した所定の操作キー、例えば操作キー２Ａを押圧操作すると、略ドーム状の薄肉部が弾性変形して操作キー２Ａが下方へ移動し、この下面の可動接点５が複数の固定接点４と接触して、スイッチ接点の電気的接離が行われる。
【００１８】
また、この電気的接離に応じて制御手段１５が送信手段１３からリモコン信号を送信するが、この時、検知スイッチ１１の電気的接離によって、扉体６が開いた状態であることを制御手段１５が検出し、上記の押圧キー７Ａを介して押圧操作した場合とは異なるリモコン信号を電子機器へ送信して、例えば、設定温度の切換え等が遠隔操作によって行われる。
【００１９】
つまり、扉体６の開閉によってばね１２に付勢されたロータ１０を回転して、検知スイッチ１１の電気的接離を行うと共に、制御手段１５がこの検知スイッチ１１の電気的接離によって扉体６の開閉状態を検出し、複数の操作キー２Ａや２Ｂ等と押圧キー７Ａや７Ｂ等のどちらが操作されたかを判別して、扉体６が開いて操作キー２Ａや２Ｂ等を直接押圧操作した場合と、扉体６が閉じて押圧キー７Ａや７Ｂ等を介して押圧操作した場合とでは、異なるリモコン信号を送信することによって、遠隔操作する機能を増やし、機器のより多様な操作が可能なように構成されているものであった。
【００２０】
なお、この出願の発明に関連する先行技術文献情報としては、例えば、特許文献１が知られている。
【先行技術文献】
【特許文献】
【００２１】
【特許文献１】特開２００９−１７０３２９号公報
【発明の概要】
【発明が解決しようとする課題】
【００２２】
しかしながら、上記従来のリモコン送信機においては、検知スイッチ１１を操作するロータ１０を、ばね１２によって付勢して回転させているため、使用する部品数が多くなり、構成も複雑なものになってしまうという課題があった。
【００２３】
本発明は、このような従来の課題を解決するものであり、簡易な構成で、確実な操作が可能なリモコン送信機を提供することを目的とする。
【課題を解決するための手段】
【００２４】
上記目的を達成するために本発明は、ケース上面から複数の操作キーが突出した操作体に、検知スイッチを操作するロータが弾接する、略桟状の付勢部を設けてリモコン送信機を構成したものであり、ロータを回転させる付勢部が操作体に一体に形成され、ばね等の部品を用いる必要がないため、簡易な構成に形成できると共に、付勢部によってロータを回転させることで、検知スイッチの確実な操作が可能なリモコン送信機を得ることができるという作用を有するものである。
【発明の効果】
【００２５】
以上のように本発明によれば、簡易な構成で、確実な操作が可能なリモコン送信機を実現できるという有利な効果が得られる。
【図面の簡単な説明】
【００２６】
【図１】本発明の一実施の形態によるリモコン送信機の断面図
【図２】同分解斜視図
【図３】同平面図
【図４】同平面図
【図５】従来のリモコン送信機の断面図
【図６】同分解斜視図
【図７】同平面図
【発明を実施するための形態】
【００２７】
以下、本発明の実施の形態について、図１〜図４を用いて説明する。
【００２８】
なお、背景技術の項で説明した構成と同一構成の部分には同一符号を付して、詳細な説明を簡略化する。
【００２９】
（実施の形態）
図１は本発明の一実施の形態によるリモコン送信機の断面図、図２は同分解斜視図であり、同図において、１は略箱型でポリスチレンやＡＢＳ等の絶縁樹脂製の上ケース、２２はゴムやエラストマー等の操作体で、操作体２２上面には下方に略ドーム状の薄肉部が形成された複数の操作キー２２Ａや２２Ｂ等が設けられると共に、これらの操作キー２２Ａや２２Ｂ等が、上ケース１上面の複数の開口孔から上下動可能に突出している。
【００３０】
そして、３は紙フェノールやガラス入りエポキシ等の配線基板で、上下面に銅箔等によって複数の配線パターン（図示せず）が形成され、この上面に操作体２２が載置されると共に、配線基板３上面にはカーボン等の複数の固定接点４が設けられ、この固定接点４が複数の操作キー２２Ａや２２Ｂ等の下面に形成されたカーボン等の可動接点５と、所定の間隙を空けて対向して複数のスイッチ接点が形成されている。
【００３１】
また、６は絶縁樹脂製の扉体、７はゴムやエラストマー等の押圧体で、押圧体７上面には下方に略ドーム状の薄肉部が形成された複数の押圧キー７Ａや７Ｂ等が設けられると共に、この複数の押圧キー７Ａや７Ｂ等が、扉体６上面の複数の開口孔から上下動可能に突出している。
【００３２】
さらに、８は板状で絶縁樹脂製の保持板で、この保持板８が扉体６下面を覆い固着されて、押圧体７が扉体６内に収納されると共に、保持板８下面の複数の開口孔からは、複数の押圧キー７Ａや７Ｂ等の下端が突出している。
【００３３】
そして、扉体６が上ケース１上面に前後方向へ摺動可能に装着されると共に、この扉体６が閉じて、複数の操作キー２２Ａや２２Ｂ等を覆った状態では、複数の押圧キー７Ａや７Ｂ等の下端が所定の操作キーに、例えば押圧キー７Ａの右下端が操作キー２２Ａ上面に、左下端が操作キー２２Ｂ上面に各々当接している。
【００３４】
また、９は略箱型で絶縁樹脂製の下ケース、１０は絶縁樹脂製のロータで、下ケース９が上ケース１や配線基板３下面を覆うと共に、ロータ１０が上ケース１と下ケース９の間に回転可能に装着され、ロータ１０の右端部１０Ａが上ケース１側面の貫通孔から突出している。
【００３５】
さらに、１１は検知スイッチで、配線基板３下面に実装された検知スイッチ１１の操作軸１１Ａが、ロータ１０の左端部１０Ｂに当接すると共に、操作体２２右端には略桟状の付勢部２２Ｃが設けられ、この付勢部２２Ｃがやや撓んだ状態でロータ１０の中間部１０Ｃに弾接している。
【００３６】
また、配線基板３の上下面には、発光ダイオード等のリモコン信号を送信する送信手段１３や、液晶表示素子等の表示手段１４、配線パターンを介して送信手段１３や表示手段１４、複数の固定接点４や検知スイッチ１１に接続されたマイコン等の制御手段１５が形成されて、リモコン送信機が構成されている。
【００３７】
なお、扉体６が閉じた状態で、この上面から突出した複数の押圧キー７Ａや７Ｂ等は操作する電子機器の、例えば機器がエアコンであった場合、電源の入／切や冷暖房の切換え等の、通常頻繁に使用される操作に用いられ、扉体６が開いた状態で、上ケース１上面から突出する複数の操作キー２２Ａや２２Ｂ等は、温度の増減や、風量や風向の切換え、タイマーの時刻設定等の、比較的使用頻度の少ないものに用いられる。
【００３８】
以上の構成において、扉体６が閉じた状態で、扉体６上面から突出した所定の押圧キー、例えば押圧キー７Ａの右端上面を押圧操作すると、略ドーム状の薄肉部が弾性変形して押圧キー７Ａの右端が下方へ揺動し、押圧キー７Ａの右下端がこの下方の操作キー２２Ａ上面を押圧する。
【００３９】
そして、この操作キー２２Ａが略ドーム状の薄肉部を弾性変形させて下方へ移動し、この下面の可動接点５が複数の固定接点４と接触して、スイッチ接点の電気的接離が行われ、この電気的接離に応じて制御手段１５が、送信手段１３から赤外線のリモコン信号を電子機器へ送信し、例えば、エアコンの冷暖房の切換え等が遠隔操作によって行われる。
【００４０】
なお、このように扉体６が閉じた状態では、図３（ａ）の平面図に示すように、扉体６内側面に右端部１０Ａを押圧されたロータ１０が、中間部１０Ｃで操作体２２右端の略桟状の付勢部２２Ｃを撓めながら、反時計方向へ回転した状態となっているため、図４（ａ）の平面図に示すように、ロータ１０の左端部１０Ｂが検知スイッチ１１の操作軸１１Ａを押圧し、検知スイッチ１１が例えば接続された状態となっている。
【００４１】
また、扉体６を後方へ摺動し、扉体６が開いた状態では、図３（ｂ）に示すように、扉体６内側面がロータ１０の右端部１０Ａから離れるため、中間部１０Ｃが付勢部２２Ｃの弾性復帰力によって押圧されて、ロータ１０が時計方向へ回転し、図４（ｂ）に示すように、左端部１０Ｂが操作軸１１Ａから離れて、検知スイッチ１１が例えば切断された状態となる。
【００４２】
そして、この扉体６が開いた状態で、上ケース１上面から突出した所定の操作キー、例えば操作キー２２Ａを押圧操作すると、略ドーム状の薄肉部が弾性変形して操作キー２２Ａが下方へ移動し、この下面の可動接点５が複数の固定接点４と接触して、スイッチ接点の電気的接離が行われる。
【００４３】
また、この電気的接離に応じて制御手段１５が送信手段１３からリモコン信号を送信するが、この時、検知スイッチ１１の電気的接離によって、扉体６が開いた状態であることを制御手段１５が検出し、上記の押圧キー７Ａを介して押圧操作した場合とは異なるリモコン信号を電子機器へ送信して、例えば、設定温度の切換え等が遠隔操作によって行われる。
【００４４】
つまり、扉体６の開閉によって、中間部１０Ｃが付勢部２２Ｃに弾接したロータ１０を回転して、検知スイッチ１１の電気的接離を行うと共に、制御手段１５がこの検知スイッチ１１の電気的接離によって扉体６の開閉状態を検出し、複数の操作キー２２Ａや２２Ｂ等と押圧キー７Ａや７Ｂ等のどちらが操作されたかを判別して、扉体６が開いて操作キー２２Ａや２２Ｂ等を直接押圧操作した場合と、扉体６が閉じて押圧キー７Ａや７Ｂ等を介して押圧操作した場合とでは、異なるリモコン信号を送信することによって、遠隔操作する機能を増やし、機器のより多様な操作が可能なように構成されている。
【００４５】
そして、本発明においては、複数の操作キー２２Ａや２２Ｂ等が形成された操作体２２の端部に、検知スイッチ１１を操作するロータ１０が弾接する、略桟状の付勢部２２Ｃを設けることによって、ロータ１０を回転させる付勢部２２Ｃが操作体２２に一体に形成され、ばね等の部品を用いる必要がないため、使用する部品数が少なく、リモコン送信機を簡易な構成に形成できるようになっている。
【００４６】
さらに、付勢部２２Ｃをロータ１０の中間部１０Ｃに弾接させて、扉体６の開閉に伴うロータ１０の回転によって付勢部２２Ｃを弾性変形させ、この付勢部２２Ｃの弾性復帰力によってロータ１０を回転させることで、検知スイッチ１１の操作軸１１Ａを確実に揺動させ、検知スイッチ１１の確実な電気的接離を行うことが可能なように構成されている。
【００４７】
このように本実施の形態によれば、上ケース１上面から複数の操作キー２２Ａや２２Ｂ等が突出した操作体２２に、検知スイッチ１１を操作するロータ１０が弾接する、略桟状の付勢部２２Ｃを設けることによって、ロータ１０を回転させる付勢部２２Ｃが操作体２２に一体に形成され、ばね等の部品を用いる必要がないため、簡易な構成に形成できると共に、付勢部２２Ｃによってロータ１０を回転させることで、検知スイッチ１１の確実な操作が可能なリモコン送信機を得ることができるものである。
【産業上の利用可能性】
【００４８】
本発明によるリモコン送信機は、簡易な構成で、確実な操作が可能なものを得ることができるという有利な効果を有し、主に各種電子機器の操作用として有用である。
【符号の説明】
【００４９】
１  上ケース
３  配線基板
４  固定接点
５  可動接点
６  扉体
７  押圧体
７Ａ、７Ｂ  押圧キー
８  保持板
９  下ケース
１０  ロータ
１０Ａ  右端部
１０Ｂ  左端部
１０Ｃ  中間部
１１  検知スイッチ
１１Ａ  操作軸
１３  送信手段
１４  表示手段
１５  制御手段
２２  操作体
２２Ａ、２２Ｂ  操作キー
２２Ｃ  付勢部
【図１】
2013098760.tif 000003
【図２】
2013098760.tif 000004
【図３】
2013098760.tif 000005
【図４】
2013098760.tif 000006
【図５】
2013098760.tif 000007
【図６】
2013098760.tif 000008
【図７】
2013098760.tif 000009